(57)【要約】【課題】安価で製造でき、撮影時等に取り外したレンズキャップがかさばらず、取り扱いが容易であり、レンズを傷や汚れから保護することができる花型フード付きのレンズ鏡筒を提供する。【解決手段】花型形状のフード部１１の外周部にスライドリング２を嵌装し、リング先端部２ｂがフード先端部よりも被写体側に突出する突出位置と切り込み部１１ｃを開放する開放位置との間で光軸Ｉ方向に移動可能に設け、さらに、リング先端部２ｂに、他のレンズ鏡筒の被写体側に設けられたフィルタ装着ネジに装着可能なキャップ４を装着可能にする装着部２ｃを設けることにより実現した。【選択図】図１
2005345902.tif 000002
【特許請求の範囲】
【請求項１】
撮影光学系と、
前記撮影光学系よりも被写体側に固定して設けられ、切り込み部が形成された花型形状のフード部と、
前記フード部の周囲に設けられ、前記切り込み部を開放する開放位置と移動部材先端部が前記フード部のフード先端部よりも被写体側に突出している突出位置との間で、前記撮影光学系の光軸方向に移動可能な移動部材と、
を備えたレンズ鏡筒。
【請求項２】
請求項１に記載のレンズ鏡筒において、
前記移動部材は、前記開放位置及び／又は前記突出位置で係止可能であること、
を特徴とするレンズ鏡筒。
【請求項３】
撮影光学系と、
前記撮影光学系よりも被写体側に固定して設けられ、切り込み部が形成された花型形状のフード部と、
前記フード部の周囲に設けられ、前記切り込み部を開放する開放位置と前記撮影光学系を保護できる保護位置との間で、前記撮影光学系の光軸方向に移動可能な移動部材と、
を備えたレンズ鏡筒。
【請求項４】
請求項３に記載のレンズ鏡筒において、
前記移動部材は、前記開放位置及び／又は前記保護位置で係止可能であること、
を特徴とするレンズ鏡筒。
【請求項５】
請求項１から請求項４までのいずれか１項に記載のレンズ鏡筒において、
前記移動部材は、円筒部分を有すること、
を特徴とするレンズ鏡筒。
【請求項６】
請求項１から請求項５までのいずれか１項に記載のレンズ鏡筒において、
前記移動部材は、前記移動部材先端部にキャップを装着可能な装着部を備えており、
前記キャップは、前記移動部材が前記突出位置及び／又は前記保護位置にあるときに、前記装着部に装着可能であること、
を特徴とするレンズ鏡筒。
【請求項７】
請求項６に記載のレンズ鏡筒において、
前記キャップは、他のレンズ鏡筒の被写体側に設けられたフィルタ装着ネジに装着可能な汎用キャップを使用可能であること、
を特徴とするレンズ鏡筒。
【発明の詳細な説明】
【技術分野】
【０００１】
本発明は、花型フードを備えたレンズ鏡筒に関するものである。
【背景技術】
【０００２】
従来、この種の被写体側先端部分に花型フードが固定されたレンズ鏡筒は、花型フードが切り込み部分を有するために、通常のレンズ鏡筒のように、フィルタやレンズキャップ等のアクセサリを装着するためのネジを、花型フードの内側の全周に設けることができない。そのため、特に、レンズ鏡筒の被写体側の先端部に装着するレンズキャップに関しては、プラスチック製や金属製、革製等の被せキャップを使用するのが通常であった（例えば、特許文献１参照。）。
【０００３】
しかし、プラスチック製の被せキャップは、金型を使用して成形するため、金型を製作するための費用がかかり、生産台数の少ない機種ではコスト高になってしまうという問題があった。
また、金属製の被せキャップは、全体を一体で切削したり、又は全体を何点かの部品で構成したりしているために加工コストがかかり、価格が高くなってしまうという問題があった。
さらに、革製の被せキャップは、低コストで製造できるが、簡易に着脱できないものが多く、扱いにくいこと等が問題であった。
【０００４】
さらにまた、この種の被せキャップは、花型フードには切り欠き部分があり嵌装できないため、レンズ鏡筒の筒部分に嵌装させて装着する。そのため、被せキャップは、光軸方向に長い円筒形となり、撮影等で取り外したときには、保管にかさばり、取り扱いが不便であることが問題であった。また、革製の被せキャップは、不使用時は折りたためるが、使用時に元の形状に戻すために時間がかかり、装着しにくいこと等が問題であった。
【０００５】
【特許文献１】特開２００２−２４４１７９号公報
【発明の開示】
【発明が解決しようとする課題】
【０００６】
本発明の課題は、撮影時等に取り外したレンズキャップが保管にかさばらず、取り扱いが容易であり、安価で製造でき、レンズを傷や汚れから保護することができる花型フード付きのレンズ鏡筒を提供することである。
【課題を解決するための手段】
【０００７】
本発明は、以下のような解決手段により、前記課題を解決する。なお、理解を容易にするために、本発明の実施例に対応する符号を付して説明するが、これに限定されるものではない。
請求項１の発明は、撮影光学系（Ｌ１〜Ｌ９）と、前記撮影光学系（Ｌ１〜Ｌ９）よりも被写体側に固定して設けられ、切り込み部（１１ｃ）が形成された花型形状のフード部（１１）と、前記フード部（１１）の周囲に設けられ、前記切り込み部（１１ｃ）を開放する開放位置と移動部材先端部（２ｂ）が前記フード部（１１）のフード先端部よりも被写体側に突出している突出位置との間で、前記撮影光学系（Ｌ１〜Ｌ９）の光軸（Ｉ）方向に移動可能な移動部材（２）と、を備えるレンズ鏡筒である。
【０００８】
請求項２の発明は、請求項１に記載のレンズ鏡筒において、前記移動部材（２）は、前記開放位置及び／又は前記突出位置で係止可能であること、を特徴とするレンズ鏡筒である。
【０００９】
請求項３の発明は、撮影光学系（Ｌ１〜Ｌ９）と、前記撮影光学系（Ｌ１〜Ｌ９）よりも被写体側に固定して設けられ、切り込み部（１１ｃ）が形成された花型形状のフード部（１１）と、前記フード部（１１）の周囲に設けられ、前記切り込み部（１１ｃ）を開放する開放位置と前記撮影光学系（Ｌ１〜Ｌ９）を保護できる保護位置との間で、前記撮影光学系（Ｌ１〜Ｌ９）の光軸（Ｉ）方向に移動可能な移動部材（２）と、を備えるレンズ鏡筒である。
【００１０】
請求項４の発明は、請求項３に記載のレンズ鏡筒において、前記移動部材（２）は、前記開放位置及び／又は前記保護位置で係止可能であること、を特徴とするレンズ鏡筒である。
【００１１】
請求項５の発明は、請求項１から請求項４までのいずれか１項に記載のレンズ鏡筒において、前記移動部材（２）は、円筒部分を有すること、を特徴とするレンズ鏡筒である。
【００１２】
請求項６の発明は、請求項１から請求項５までのいずれか１項に記載のレンズ鏡筒において、前記移動部材（２）は、前記移動部材先端部（２ｂ）にキャップ（４）を装着可能な装着部（２ｃ）を備えており、前記キャップ（４）は、前記移動部材（２）が前記突出位置及び／又は前記保護位置にあるときに、前記装着部（２ｃ）に装着可能であること、を特徴とするレンズ鏡筒である。
【００１３】
請求項７の発明は、請求項６に記載のレンズ鏡筒において、前記キャップ（４）は、他のレンズ鏡筒の被写体側に設けられたフィルタ装着ネジに装着可能な汎用キャップを使用可能であること、を特徴とするレンズ鏡筒である。
【発明の効果】
【００１４】
本発明によれば、以下の効果を奏することができる。
（１）移動部材は、花型形状のフード部の周囲に、切り込み部を開放する開放位置と移動部材先端部がフード部のフード先端部よりも被写体側に突出している突出位置との間で、撮影光学系の光軸方向に移動可能であるので、移動部材が開放位置にあるときは、切り込み部を遮らないため、ケラレ等により撮影に影響を及ぼすことはなく、移動部材が突出位置にあるときは、移動部材先端部にキャップ等を装着可能な装着部を設けることができる。
【００１５】
（２）移動部材は、開放位置及び／又は突出位置で係止可能であるので、開放位置で係止したときには、撮影時等に移動部材が移動してケラレ等を生じさせ、撮影に影響を及ぼすことを防止でき、突出位置で係止したときには、移動部材先端部にキャップ等の装着を容易に行うことができる。
【００１６】
（３）移動部材は、花型形状のフード部の周囲に設けられ、切り込み部を開放する開放位置と撮影光学系を保護できる保護位置との間で、撮影光学系の光軸方向に移動可能であるので、移動部材が開放位置にあるときは、切り込み部を遮らないため、ケラレ等により撮影に影響を及ぼすことはなく、移動部材が保護位置にあるときは、撮影光学系を傷や汚れ等から保護することができる。
【００１７】
（４）移動部材は、開放位置及び／又は保護位置で係止可能であるので、開放位置で係止したときは、撮影時等に移動部材が移動してケラレ等を生じさせ、撮影に影響を及ぼすことを防止でき、保護位置で係止したときは、撮影光学系に傷や汚れが付着することを防止する効果を高めることができる。
【００１８】
（５）移動部材は、円筒部分を有するので、撮影光学系を保護するために必要な強度をより高めることができる。また、移動部材全体を略円筒形とすると、加工も容易となる。
【００１９】
（６）移動部材は、移動部材先端部にキャップを装着可能な装着部を備えており、移動部材が突出位置及び／又は保護位置にあるときに、キャップを装着可能であるので、撮影光学系を傷や汚れから保護することができる。
【００２０】
（７）キャップは、他のレンズ鏡筒の被写体側に設けられたフィルタ装着ネジに装着可能な汎用キャップを使用可能であるので、安価で製造でき、また、キャップは、不使用時に保管がかさばらず、取り扱いも容易である。
【発明を実施するための最良の形態】
【００２１】
本発明のレンズ鏡筒は、撮影等のために取り外したキャップがかさばらず、取り扱いが容易であり、安価で製造でき、レンズを傷や汚れから保護することができる花型形状のフード付きのレンズ鏡筒を提供するという目的を、花型形状のフード部の外周部に移動部材を設け、移動部材先端部がフード先端部よりも被写体側に突出する突出位置と切り込み部を開放する開放位置との間で光軸方向に移動可能に設け、さらに、移動部材先端部にキャップを装着可能にする装着部を設けることにより実現した。
【実施例】
【００２２】
図１は、本発明の実施例のレンズ鏡筒において、スライドリング２にレンズキャップ４を装着した状態の断面図である。
本実施例のレンズ鏡筒は、固定筒１と、スライドリング２と、距離リング３と、レンズキャップ４とを備えている。
なお、以下、説明のため、レンズ鏡筒の光軸Ｉ方向の被写体側を被写体側、光軸Ｉ方向
のカメラ側をカメラ側と呼ぶこととする。
【００２３】
固定筒１は、金属やプラスチック等により成形された略円筒形の部材であり、その中心が光軸Ｉと一致するように設けられ、フード部１１と、スライドリング摺動部１２と、マウント部１３と、レンズＬ１〜Ｌ９とを備えている。
フード部１１は、長辺部１１ａ、短辺部１１ｂ、切り込み部１１ｃを有する花型形状のフード部であり、固定筒１の被写体側先端部に、固定筒１と一体成形又は別部材を固定する等により設けられている。
長辺部１１ａは、撮影画面の長辺に相当する部分を遮光する１対の部分であり、短辺部１１ｂは、撮影画面の短辺に相当する部分を遮光する１対の部分であり、長辺部１１ａと短辺部１１ｂの光軸Ｉ方向の長さは等しい。
切り込み部１１ｃは、撮影画面の対角線方向に相当する部分に設けられ、このレンズ鏡筒の最大画角を表す光線ｍを遮らないように、光線ｍよりもカメラ側に設けられている。
【００２４】
レンズＬ１〜Ｌ９は、固定筒１の内部に、並べて設けられた撮影光学系である。レンズＬ１は最も被写体側に配置され、レンズＬ２、レンズＬ３と順にカメラ側へと配置されている。また、レンズＬ１、Ｌ２、Ｌ３、Ｌ４、Ｌ５は固定されており、レンズＬ６、Ｌ７、Ｌ８、Ｌ９は、後述の距離リング３により光軸Ｉ方向に所定量移動するように設けられている。
【００２５】
スライドリング摺動部１２は、フード部１１よりもカメラ側の固定筒１の外周部に設けられ、壁部１２ａ、１２ｂを有する。
壁部１２ａ、１２ｂは、スライドリング摺動部１２に、固定筒１の全周にわたって径方向外向きに突き出すように形成され、壁部１２ａは、壁部１２ｂよりもカメラ側に設けられている。
マウント部１３は、固定筒１のカメラ側に設けられ、不図示のカメラボディのマウント部にレンズ鏡筒を着脱可能に装着する。
【００２６】
スライドリング２は、金属又はプラスチック等で形成された略円筒形の部材であり、その中心は光軸Ｉと一致し、壁部２ａと、リング先端部２ｂとを備え、スライドリング摺動部１２に嵌装された移動部材である。
スライドリング２は、後述のリング先端部２ｂがフード部１１の被写体側の先端部分であるフード先端部よりも被写体側に突出する突出位置と切り込み部１１ｃを開放する開放位置との間で光軸方向に移動可能に設けられている。
【００２７】
壁部２ａは、スライドリング２のカメラ側先端部に、スライドリング２の径方向内側に突き出すように全周にわたって設けられている。
リング先端部２ｂは、スライドリング２の被写体側の先端部である移動部材先端部であり、雌ネジ２ｃを有する。
雌ネジ２ｃは、リング先端部２ｂの内周側に全周にわたって設けられ、後述のレンズキャップ４を装着可能にする装着部である。
【００２８】
スライドリング２及びスライドリング摺動部１２には、例えば、バネ等を利用したいわゆるクリックによる不図示の係止機構部が設けられている。スライドリング２は、係止機構部により、リング先端部２ｂがフード先端部よりも被写体側に突出する突出位置（図１参照。）、切り込み部１１ｃを開放する開放位置（図２参照。）、レンズＬ１を保護する保護位置（図３参照。）に係止される。
【００２９】
距離リング３は、スライドリング摺動部１２よりもカメラ側の固定筒１の外周部に、光軸Ｉを中心として回転可能に設けられた略円筒形の部材であり、この距離リング３を回転させることにより、レンズＬ６〜Ｌ９は、固定筒１内を光軸Ｉ方向に移動し、被写体像の焦点を合わせることができる。
【００３０】
レンズキャップ４は、円盤状のキャップであり、例えば、一方の端面に不図示の付勢部材により径方向外側に付勢された一対の爪部４ａが設けられ、その爪部４ａが雌ネジ２ｃに係合することにより、スライドリング２のリング先端部２ｂに着脱可能に装着されるスプリング式キャップである。また、レンズキャップ４は、他のレンズ鏡筒の被写体側に設けられたフィルタ装着ネジに装着可能な汎用キャップである。
【００３１】
レンズキャップ４を装着するときに、使用者は、スライドリング２を被写体側に移動させ、壁部２ａの被写体側の面を壁部１２ｂのカメラ側の面に当接させる。
このときに、スライドリング２は、図１に示すように、リング先端部２ｂがフード先端部よりも被写体側に突出している突出位置にあり、係止機構部により係止している。
使用者は、爪部４ａを雌ネジ２ｃに係合させることにより、レンズキャップ４をスライドリング２に装着することができる。
【００３２】
図２は、本発明の実施例におけるレンズ鏡筒において、スライドリング２からレンズキャップ４を取り外した状態の断面図である。
撮影時等には、使用者は、図２に示すように、爪部４ａを雌ネジ２ｃから外して、レンズキャップ４をスライドリング２から取り外した後に、スライドリング２をカメラ側に移動させ、壁部２ａのカメラ側の面を壁部１２ａの被写体側の面に当接させる。
このときに、スライドリング２は、リング先端部２ｂが切り込み部１１ｃと揃う又は切り込み部１１ｃよりもカメラ側に位置する開放位置で係止機構部により係止しており、切り込み部１１ｃは開放されている。
よって、スライドリング２は、最大画角を示す光線ｍを遮らない位置にあるので、ケラレ等、撮影に影響は生じない。また、薄いレンズキャップ４のみを保管すればよく、かさばらない。
【００３３】
図３は、本発明の実施例のレンズ鏡筒において、スライドリング２が保護位置にある状態の断面図である。
使用者は、撮影中の移動時などに、例えば、図３に示すように、スライドリング２を、リング先端部２ｂがフード先端部と揃う保護位置に移動させる。このときに、スライドリング２は、係止機構部により係止しており、切り込み部１１ｃは、スライドリング２により覆われている。
これにより、指等が切り込み部１１ｃからフード部１１の内側に入り、レンズＬ１に触れて汚れや傷がつくことを防ぐことができる。
【００３４】
以上説明したように、スライドリング２は、通常の被せキャップにおいてレンズ鏡筒に嵌装させるための円筒部分に相当するが、固定筒１に嵌装されているため、使用者は、撮影時等のキャップ不使用時には、薄いレンズキャップ４のみを保管すればよく、かさばることなく、また取り扱いも容易である。
また、スライドリング２は、レンズキャップ４を装着したときに、フード部１１の外周部を覆うように設けられており、レンズＬ１の保護に加え、フード部１１の破損等を防止できる。
【００３５】
さらに、スライドリング２は、保護位置で係止させることにより、レンズキャップ４を取り付けなくとも、切り込み部１１ｃから指等がフード部１１の内側に入りレンズＬ１に触れることによる汚れや傷等の付着や、フード部１１の破損等を防止する簡易的な保護部材としての機能も果たすことができる。
また、撮影するときは、スライドリング２を開放位置に移動させればよく、すばやく撮影動作に移ることができる。
【００３６】
レンズキャップ４は、他のレンズ鏡筒の被写体側に設けられた、フィルタ装着ネジに装着可能な汎用キャップを使用できるので、安価で製造でき、取り扱いが容易である。
【００３７】
（変形例）
以上説明した実施例に限定されることなく、種々の変形や変更が可能であって、それらも本発明の均等の範囲内である。
（１）本実施例において、スライドリング２は、円筒形とする例を示したが、これに限らず、スライドリング２を被写体側に移動させたときに、リング先端部２ｂがフード先端部よりも被写体側に突出する形態であればよい。
【００３８】
（２）本実施例において、スライドリング２は、固定筒１の外周部に設けられる例を示したが、これに限らず、スライドリング２を固定筒１の内周部に設けてもよい。
この場合は、スライドリング２を光軸Ｉ方向に移動させる操作部材を外周部に設けて、操作性をよくしてもよい。
【００３９】
（３）本実施例において、フード部１１は、長辺部１１ａと短辺部１１ｂとの光軸Ｉ方向の長さが等しい例を示したが、これに限らず、例えば、長辺部１１ａは、短辺部１１ｂよりも光軸Ｉ方向に長くてもよく、この場合は、スライドリング２の突出位置は、リング先端部２ｂが長辺部１１ａの先端部よりも被写体側に突出する位置とすれば、実施例と同様の効果が得られる。
さらに、突出位置における係止を十分に強くすれば、スライドリング２を突出位置に係止した状態で、被写体側を下にして、レンズ鏡筒を机等の上に置くことができる。通常、フード部１１の長辺部１１ａと短辺部１１ｂの光軸方向の長さが異なるレンズ鏡筒は、被写体側を下にして机等の上に置こうとしても、不安定で置くことができない。しかし、突出位置におけるスライドリング２の係止を、少なくともレンズ鏡筒の自重で係止が解除されない程度に強くすることで、被写体側を下にしてレンズ鏡筒を机等の上に置くことができ、使い勝手をよくすることができる。
【００４０】
（４）本実施例において、保護位置は、リング先端部２ｂとフード先端部が揃う位置としたが、これに限らず、レンズを保護できる位置にあればよく、例えば、リング先端部２ｂがフード先端部よりもカメラ側に位置していてもよいし、リング先端部２ｂがフード先端部よりも被写体側に位置してもよい。
【００４１】
（５）本実施例において、レンズキャップ４は、スライドリング２が突出位置にあるときに装着可能である例を示したが、これに限らず、スライドリング２が保護位置にあるときに装着可能にしてもよい。
【００４２】
（６）実施例において、レンズキャップ４は、スプリング式キャップである例を示したが、これに限らず、リング先端部２ｂに装着できる形態であればよく、例えば、その外周部に雄ネジを有するねじ込み式キャップ等でもよい。
【図面の簡単な説明】
【００４３】
【図１】本発明の実施例のレンズ鏡筒において、スライドリング２にレンズキャップ４を装着した状態の断面図である。
【図２】本発明の実施例のレンズ鏡筒において、スライドリング２からレンズキャップ４を取り外した状態の断面図である。
【図３】本発明の実施例のレンズ鏡筒において、スライドリング２が保護位置にある状態の断面図である。
【符号の説明】
【００４４】
１      固定筒
１１    フード部
１１ａ  長辺部
１１ｂ  短辺部
１１ｃ  切り込み部
１２    スライドリング摺動部
１２ａ、１２ｂ  壁部
１３    マウント部
２      スライドリング
２ａ    壁部
２ｂ    リング先端部
２ｃ    雌ネジ
３      距離リング
４      レンズキャップ
４ａ    爪部
Ｉ      光軸
ｍ      最大画角を示す光線
【図１】
2005345902.tif 000003
【図２】
2005345902.tif 000004
【図３】
2005345902.tif 000005